(57)【特許請求の範囲】
【請求項１】
洗浄槽の前面に操作パネルを有するビルトイン型の引き出し式食器洗浄機であって、
前記洗浄槽が洗浄機本体に収容された状態において、前記洗浄機本体に対して前記洗浄槽を前方に付勢する弾性部材を有するスライド機構と、
前記洗浄機本体に対する前記洗浄槽の前方への移動をロックしており、押しボタンの操作によってロックを解除するロック機構を備えており、
前記洗浄槽の前面に取っ手やロックレバーによる凹凸が形成されておらず、前記押しボタンの操作面が前記操作パネルの表面と面一に形成されており、前記洗浄槽の前面全体が凹凸のない形状に形成されている食器洗浄機。
【請求項２】
前記スライド機構が、
前記洗浄機本体に固定されたケースと、
前記弾性部材によって前記ケースに対して前方に付勢されるスライド部材をさらに備えており、
前記スライド部材は前記ケースに対する前方への移動可能な範囲が制限されており、
前記洗浄槽を前記洗浄機本体に押し込む際に、前記洗浄槽と前記スライド部材が当接する請求項１の食器洗浄機。
【請求項３】
前記スライド機構が、前記スライド部材の前記ケースに対する前方への移動に抵抗するダンパをさらに備えている請求項２の食器洗浄機。
【請求項４】
前記スライド機構が、
前記洗浄槽に固定されたケースと、
前記弾性部材によって前記ケースに対して後方に付勢されるスライド部材をさらに備えており、
前記スライド部材は前記ケースに対する後方への移動可能な範囲が制限されており、
前記洗浄槽を前記洗浄機本体に押し込む際に、前記洗浄機本体と前記スライド部材が当接する請求項１の食器洗浄機。
【請求項５】
前記スライド機構が、前記スライド部材の前記ケースに対する後方への移動に抵抗するダンパをさらに備えている請求項４の食器洗浄機。
【請求項６】
前記弾性部材がコイルばねであり、
前記スライド機構のケースおよびスライド部材の一方に前後方向に沿って伸びるガイド筒が形成されており、他方に前後方向に沿って伸びるガイドピンが形成されており、
前記ガイドピンは前記ガイド筒に摺動可能に挿入されており、
前記コイルばねが前記ガイド筒および前記ガイドピンを内部に収容するように配置されている請求項２から５の何れか一項の食器洗浄機。
【発明の詳細な説明】
【技術分野】
【０００１】
本発明は、食器洗浄機に関する。特に、洗浄槽の前面に操作パネルを有するビルトイン型の引き出し式食器洗浄機に関する。
【背景技術】
【０００２】
ビルトイン型の食器洗浄機は、図４に示すように、多くはシステムキッチンを構成するキッチンカウンタＫの下にビルトインされる。キッチンカウンタＫの下には引き出し式の収納部Ｌや開き戸式の収納部Ｍなどが設けられており、オーブンレンジＮや食器洗浄機１０１がビルトインされるのが一般的な設置形態である。
【０００３】
このようなシステムキッチンでは、キッチンカウンタＫの下に配置される収納部Ｌ、Ｍなどの表面材は、その素材や色調、図柄が統一され、表面位置が同一平面上になるようにした美麗な外観に仕上げられている。これに合わせて、オーブンレンジＮや食器洗浄機１０１の表面も同一の色調、図柄に形成され、その表面が収納部Ｌ、Ｍなどと同一位置になるようにして統一感が得られるようにしている。
【０００４】
食器洗浄機１０１において洗浄槽１０３を引き出す機構としては、例えば特許文献１−３に記載されたものが知られている。
【先行技術文献】
【特許文献】
【０００５】
【特許文献１】特開２００７−３０１７８１号公報
【特許文献２】特開２００８−２３７２６４号公報
【特許文献３】特開２００２−３４５７１２号公報
【発明の概要】
【発明が解決しようとする課題】
【０００６】
従来の食器洗浄機のうち、使用者が手動で洗浄槽を引き出すタイプのものでは、食器洗浄機の表面、すなわち洗浄槽の前面に取っ手やロックレバーが設けられている。取っ手は洗浄槽を洗浄機本体から引き出すために用いられ、ロックレバーは洗浄槽を洗浄機本体に収容された状態でロックするロック機構を解除するために用いられる。このタイプの食器洗浄機では、使用者はロックレバーを解除しながら取っ手をつかんで洗浄槽を引き出す。
【０００７】
上記のような取っ手やロックレバーがあることによって、洗浄槽の前面には凹凸が形成される。このような取っ手やロックレバーは他のシステムキッチン構成物では用いられていない独特なものであり、これらが洗浄槽の前面に凹凸を形成することで、システムキッチンの統一感のある美観が損なわれてしまう。洗浄槽の前面から取っ手やロックレバーを取り除くことができれば、よりシステムキッチンの美観を高めることができる。
【０００８】
洗浄槽の前面から取っ手やロックレバーを取り除くために、モータ等の電動部品を用いて洗浄槽の出し入れを自動的に行う構成とすることが考えられる。このような構成とすれば、洗浄槽の前面に取っ手やロックレバーを設けていなくても、洗浄槽の出し入れを行うことができる。しかしながら、モータ等の電動部品を用いると、断線やモータの故障などの不具合を生ずるリスクが高まり、メンテナンスが煩雑になるおそれがある。また、モータ等の電動部品を用いる場合であっても、断線やモータの故障などが原因で洗浄槽が出てこなくなってしまう場合に備えて、使用者が手動でも洗浄槽を引き出せるように、取っ手を別途設けておく必要が生じる。モータ等の電動部品を用いることなく、洗浄槽の前面から取っ手やロックレバーを取り除いて、洗浄槽の前面を凹凸のない形状とすることが可能な技術が期待されている。
【０００９】
本発明は上記課題を解決する。本発明では、モータ等の電動部品を用いることなく洗浄槽を引き出すことが可能な、洗浄槽の前面に凹凸がない引き出し式の食器洗浄機を実現する技術を提供する。
【課題を解決するための手段】
【００１０】
本発明は洗浄槽の前面に操作パネルを有するビルトイン型の引き出し式食器洗浄機として具現化される。その食器洗浄機は、前記洗浄槽が洗浄機本体に収容された状態において、前記洗浄機本体に対して前記洗浄槽を前方に付勢する弾性部材を有するスライド機構と、前記洗浄機本体に対する前記洗浄槽の前方への移動をロックしており、押しボタンの操作によってロックを解除するロック機構を備えている。その食器洗浄機は、前記洗浄槽の前面に取っ手やロックレバーによる凹凸が形成されておらず、前記押しボタンの操作面が前記操作パネルの表面と面一に形成されおり、前記洗浄槽の前面全体が凹凸のない形状に形成されていることを特徴とする。
【００１１】
上記の食器洗浄機では、洗浄槽を引き出す際には、押しボタンの操作によってロック機構のロックを解除することで、スライド機構の弾性部材からの付勢力によって洗浄槽が自動的に押し出される。洗浄槽がある程度押し出された後は、使用者が洗浄槽の前面の操作パネルの背面側に手指をかけて引き出すことで、洗浄槽を洗浄機本体から完全に引き出すことができる。この食器洗浄機では、洗浄槽を引き出すための取っ手や、洗浄槽の洗浄機本体に対するロックを解除するためのロックレバーが不要となっているから、洗浄槽の前面には取っ手やロックレバーによる凹凸が形成されていない。また、モータ等の電動部品を用いておらず、断線やモータの故障などの不具合を生ずることがなく、メンテナンスが容易である。この食器洗浄機は、洗浄槽の前面を凹凸のない平滑な形状とすることができるので、システムキッチンに組み込んだ際に、周囲のシステムキッチン構成物との間で統一感のある美観を実現することができる。
【００１２】
上記の食器洗浄機では、前記スライド機構が、前記洗浄機本体に固定されたケースと、前記弾性部材によって前記ケースに対して前方に付勢されるスライド部材をさらに備えており、前記スライド部材は前記ケースに対する前方への移動可能な範囲が制限されており、前記洗浄槽を前記洗浄機本体に押し込む際に、前記洗浄槽と前記スライド部材が当接する構成としてもよい。
【００１３】
上記の食器洗浄機では、洗浄槽を洗浄機本体に押し込む際には、洗浄槽がスライド部材と当接するまでは弾性部材の付勢力が作用せず、洗浄槽を押し込んでスライド部材と当接してから初めて弾性部材の付勢力が洗浄槽に作用する。洗浄槽を押し込んでスライド部材と当接する時点では洗浄槽に慣性が作用しているから、使用者は少ない力で弾性部材の付勢力に抗して洗浄槽を押し込むことができ、使用者の利便性をより向上することができる。
【００１４】
上記の食器洗浄機では、前記スライド機構が、前記スライド部材の前記ケースに対する前方への移動に抵抗するダンパをさらに備える構成としてもよい。
【００１５】
この食器洗浄機では、スライド機構の弾性部材からの付勢力によって洗浄槽が押し出される際に、洗浄槽が必要以上に速い速度で押し出されることを抑制することができる。
【００１６】
あるいは、上記の食器洗浄機では、前記スライド機構が、前記洗浄槽に固定されたケースと、前記弾性部材によって前記ケースに対して後方に付勢されるスライド部材をさらに備えており、前記スライド部材は前記ケースに対する後方への移動可能な範囲が制限されており、前記洗浄槽を前記洗浄機本体に押し込む際に、前記洗浄機本体と前記スライド部材が当接する構成としてもよい。
【００１７】
上記の食器洗浄機でも、洗浄槽を洗浄機本体に押し込む際には、洗浄機本体がスライド部材と当接するまでは弾性部材の付勢力が洗浄槽に作用せず、洗浄槽を押し込んで洗浄機本体がスライド部材と当接してから初めて弾性部材の付勢力が洗浄槽に作用する。洗浄槽を押し込んで洗浄機本体がスライド部材と当接する時点では洗浄槽に慣性が作用しているから、使用者は少ない力で弾性部材の付勢力に抗して洗浄槽を押し込むことができ、使用者の利便性をより向上することができる。
【００１８】
上記の食器洗浄機では、前記スライド機構が、前記スライド部材の前記ケースに対する後方への移動に抵抗するダンパをさらに備える構成としてもよい。
【００１９】
この食器洗浄機でも、スライド機構の弾性部材からの付勢力によって洗浄槽が押し出される際に、洗浄槽が必要以上に速い速度で押し出されることを抑制することができる。
【００２０】
上記の食器洗浄機では、前記弾性部材がコイルばねであり、前記スライド機構のケースおよびスライド部材の一方に前後方向に沿って伸びるガイド筒が形成されており、他方に前後方向に沿って伸びるガイドピンが形成されており、前記ガイドピンは前記ガイド筒に摺動可能に挿入されており、前記コイルばねが前記ガイド筒および前記ガイドピンを内部に収容するように配置されていることが好ましい。
【００２１】
この食器洗浄機では、ガイドピンとガイド筒を内側に収容するようにコイルばねを配置することで、コイルばねの圧縮座屈を抑制することができる。細長いコイルばねを用いた場合でも、コイルばねが座屈してしまうことがない。コイルばねの座屈による不具合を防ぎ、メンテナンスをより容易とすることができる。
【発明の効果】
【００２２】
本発明によれば、モータ等の電動部品を用いることなく洗浄槽を引き出すことが可能な、洗浄槽の前面に凹凸がない引き出し式の食器洗浄機を実現することができる。
【図面の簡単な説明】
【００２３】
【図１】実施例１の食器洗浄機１がキッチンカウンタＫの下にビルトインされたシステムキッチンの外観図である。（ａ）は食器洗浄機１の洗浄槽３を引き出した状態を示しており、（ｂ）は食器洗浄機１の洗浄槽３を完全に収容した状態を示している。
【図２】実施例１の食器洗浄機１の洗浄槽３を洗浄機本体４から引き出した状態を模式的に示す縦断面図である。
【図３】実施例１の食器洗浄機１の洗浄槽３を洗浄機本体４に完全に収容した状態を模式的に示す縦断面図である。
【図４】実施例２の食器洗浄機５１の洗浄槽３を洗浄機本体４から引き出した状態を模式的に示す縦断面図である。
【図５】実施例２の食器洗浄機５１の洗浄槽３を洗浄機本体４に完全に収容した状態を模式的に示す縦断面図である。
【図６】従来技術の食器洗浄機１０１がキッチンカウンタＫの下にビルトインされたシステムキッチンの外観図である。（ａ）は食器洗浄機１０１の洗浄槽１０３を引き出した状態を示しており、（ｂ）は食器洗浄機１０１の洗浄槽１０３を完全に収容した状態を示している。
【発明を実施するための形態】
【００２４】
以下、本発明に係る実施例について、図面を参照しながら説明する。
【実施例１】
【００２５】
図１の（ａ）および（ｂ）に示すように、本実施形態の食器洗浄機１は、キッチンカウンタＫの下にビルトインされ、システムキッチンの一部を構成している。食器洗浄機１の扉２の表面には操作パネル５が設けられており、その下方には面材６が取り付けられている。面材６はキッチンカウンタＫの下に配置された収納部Ｌ、収納部Ｍなどのシステムキッチン構成物の表面材と同一の素材が用いられ、色調、図柄を同一にされている。従って、食器洗浄機１をビルトインしてシステムキッチンを構成したときに、周囲のシステムキッチン構成物との統一感が得られ、美麗な外観のシステムキッチンに構成することができる。
【００２６】
扉２を構成する操作パネル５及び面材６は、洗浄機本体４（図２参照）の前面を完全に覆うことができる幅と高さで形成されている。ビルトインされた食器洗浄機１の扉２を閉じる、即ち洗浄槽３を洗浄機本体４に収容すると、扉２は洗浄機本体４を覆い隠す。図１の（ｂ）に示すように、この状態では、食器洗浄機１の周囲のシステムキッチン構成物の縦のラインおよび横のラインに合わせて扉２が配置され、さらに、操作パネル５と面材６の表面が周囲のシステムキッチン構成物の表面と面一となるように取り付けられているので、システムキッチンの統一感のある美観が実現されている。
【００２７】
図２および図３に示すように、食器洗浄機１は、前方（図の左方向）に開口する箱状に形成された洗浄機本体４内に、上方に開口する洗浄槽３を収容する。洗浄槽３はその外底面に取り付けられた洗浄槽側レール７を洗浄機本体４の内底面に取り付けられた本体側レール８上でスライドさせることにより、洗浄機本体４の前方開口部から出し入れすることができる。洗浄槽３を洗浄機本体４の前方開口部から完全に引き出した状態で、使用者は洗浄槽３の上方の開口から食器類を出し入れすることができる。
【００２８】
図３に示すように、洗浄槽３を洗浄機本体４内に完全に収容した状態では、洗浄槽３の上方開口部は内蓋９によって密閉され、食器類を洗浄する際に洗浄槽３内で食器類に噴射する水が洗浄槽３の外部に飛散しないようにしている。図２に示すように、内蓋９は、前方リンク１０、後方リンク１１、引張ばね１２を介して、洗浄機本体４に支持されている。前方リンク１０は、支点１０ａで洗浄機本体４の内側面に回転可能に連結しており、支点１０ｂで内蓋９の側面に回転可能に連結している。前方リンク１０はカムローラ１０ｃを備えている。後方リンク１１は、支点１１ａで洗浄機本体４の内側面に回転可能に連結しており、支点１１ｂで内蓋９の側面に回転可能に連結している。後方リンク１１はカムローラ１１ｃを備えている。洗浄槽３を洗浄機本体４に押し込むと、洗浄槽３の外側面に形成されたリブ１３のカム面１３ａがカムローラ１０ｃと当接して、前方リンク１０は支点１０ａを回転軸として図２の時計回りに回転する。同様に、洗浄槽３の外側面に形成されたリブ１４のカム面１４ａがカムローラ１１ｃと当接して、後方リンク１１は支点１１ａを回転軸として図２の時計回りに回転する。その結果、内蓋９は引張ばね１２の弾性力に抗して後下方（図２の右下方）に移動して、図３に示すように、洗浄機本体４に完全に収容された洗浄槽３の上方開口部を閉塞する。内蓋９にはゴムシール１５が取り付けられており、ゴムシール１５によって洗浄槽３の上方開口部が密閉される。
【００２９】
洗浄機本体４の内側面には、スライド機構１６が設けられている。スライド機構１６は、食器洗浄機１を正面から見た場合の左右方向（図２および図３の紙面垂直方向）に関して、洗浄機本体４の両方の内側面に一対設けられているが、ここでは一方のスライド機構１６のみを例示して説明する。スライド機構１６は、ケース１７、スライド部材１８、コイルばね２３を備えている。ケース１７は洗浄機本体４の内側面に固定されている。スライド部材１８は前後方向に摺動可能にケース１７内に収容されている。ケース１７の内部には、後方から前方に向けて伸び、前方が開口したガイド筒１９が形成されている。スライド部材１８には前方から後方に向けて伸びるガイドピン２０が形成されている。ガイドピン２０はガイド筒１９に摺動可能に挿入されている。スライド部材１８の上部と下部にはストッパ２１ａ、２１ｂが形成されており、ケース１７の上部と下部には対応するストッパ２２ａ、２２ｂが形成されている。ストッパ２１ａ、２１ｂがストッパ２２ａ、２２ｂとそれぞれ当接することにより、スライド部材１８がケース１７に対して前方に移動可能な範囲が制限されている。
【００３０】
コイルばね２３は、その内側にガイド筒１９およびガイドピン２０を収容した状態で、ケース１７内に取り付けられている。コイルばね２３には予圧縮荷重が付与されており、ケース１７に対してスライド部材１８を前方に向けて付勢する。
【００３１】
スライド部材１８の前面には嵌合溝２６が形成されており、洗浄槽３を洗浄機本体４に押し込んだ場合に、洗浄槽３の外側面に対応して形成されたリブ２７が嵌合溝２６に嵌合する。リブ２７が嵌合溝２６に嵌合した状態でさらに洗浄槽３を洗浄機本体４に押し込むと、洗浄槽３とともにスライド部材１８も後方（図２および図３の右方向）に向けて移動する。コイルばね２３からスライド部材１８へ作用する付勢力に抗してさらに洗浄槽３を押し込むことで、洗浄槽３は洗浄機本体４に完全に収容される。なお、ケース１７にはリブ２７との干渉を避けるための切り欠き２８が形成されている。
【００３２】
洗浄槽３の扉２の上部中央背面には、ロック機構３０が設けられている。ロック機構３０はケース３１、押しボタン３２、フック３３、圧縮ばね３４を備えている。フック３３は上端部がケース３１から上方に突出するようにケース３１に収容されており、圧縮ばね３４によって上方に付勢されている。フック３３の上端部は前面が平面状に形成されており、後面がなだらかな曲面状に形成されている。図２の洗浄槽３を洗浄機本体４に押し込むと、フック３３の上端部の後面が洗浄機本体４の係合爪３５と当接して、フック３３は圧縮ばね３４の付勢力に抗して下方に押し下げられる。図３に示すように、洗浄槽３をさらに押し込んで洗浄機本体４内に完全に収容すると、フック３３が係合爪３５を乗り越えて、圧縮ばね３４の付勢力によってフック３３は再び押し上げられる。これによって、フック３３と係合爪３５が係合して、洗浄槽３は洗浄機本体４に対して前方への移動がロックされる。
【００３３】
押しボタン３２の操作面は、操作パネル５の表面に露出している。押しボタン３２は、使用者が操作していない状況では、押しボタン３２の操作面が操作パネル５の表面と面一となるように形成されている。押しボタン３２の後部にはカム面３２ａが形成されており、カム面３２ａはフック３３に設けられたカムローラ３３ａと当接している。図３に示すように洗浄槽３が洗浄機本体４に完全に収容された状態で、使用者が押しボタン３２を押し込む操作を行うと、フック３３は圧縮ばね３４の付勢力に抗して下方に押し下げられる。この状況で、スライド機構１６のコイルばね２３による付勢力によって洗浄槽３が前方へ押し出され、フック３３が係合爪３５の下側を通過することで、洗浄槽３の洗浄機本体４に対するロックは解除される。
【００３４】
この食器洗浄機１において、引き出されている洗浄槽３を洗浄機本体４に収容する場合には、使用者は洗浄槽３の扉２の表面を洗浄機本体４の内部に向けて押し込む。洗浄槽３が後方（図２、図３の右方向）に向けて移動し、図２に示すように、洗浄槽３のリブ２７がスライド部材１８の嵌合溝２６に嵌合すると、洗浄槽３とともにスライド部材１８も後方に向けて移動する。使用者がコイルばね２３の付勢力に抗してさらに洗浄槽３を押し込むことで、洗浄槽３は洗浄機本体４に完全に収容される。これと並行して、前方リンク１０、後方リンク１１によって、内蓋９が引張ばね１２の弾性力に抗して後方下方へ移動し、内蓋９によって洗浄槽３の上面開口が密封される。さらに、ロック機構３０において、フック３３が係合爪３５と係合して、洗浄槽３の洗浄機本体４に対する前方（図２、図３の左方向）に向けた移動がロックされる。
【００３５】
図３のように洗浄機本体４に完全に収容されている洗浄槽３を引き出す場合には、使用者は押しボタン３２を押し込む操作を行う。これによって、ロック機構３０のフック３３が下方に押し下げられて係合爪３５との係合が解除され、スライド機構１６のコイルばね２３の付勢力によって洗浄槽３が前方に飛び出す。また、内蓋９は引張ばね１２の弾性力によって前方上方へ移動する。スライド機構１６のスライド部材１８がストッパ２１ａ、２１ｂとストッパ２２ａ、２２ｂと当接して前方への移動を停止した後も、洗浄槽３は慣性によってさらに前方へ移動した後、停止する。その後、使用者は操作パネル５の背面側に手指をかけて洗浄槽３を引き出すことによって、洗浄機本体４から洗浄槽３を完全に引き出すことができる。
【００３６】
本実施例では、コイルばね２３に与える予圧縮荷重は、洗浄槽３の大きさに応じて適切に調整されている。コイルばね２３に与える予圧縮荷重を弱くし過ぎると、使用者が洗浄槽３を押し込む際に必要な力は弱くて済むものの、押しボタン３２の操作によって洗浄槽３が飛び出す際の速度が遅くなり、使用者は不満を感じてしまう。逆に、コイルばね２３に与える予圧縮荷重を強くし過ぎると、押しボタン３２の操作によって洗浄槽３が飛び出す際の速度は速くなるものの、洗浄槽３を洗浄機本体４に押し込む際に必要な力が強くなり過ぎてしまい、使用者は不便を感じてしまう。コイルばね２３に与える予圧縮荷重を、洗浄槽３の大きさに応じて適切に設定することで、使用者は食器洗浄機１を快適に使用することができる。
【００３７】
以上のように、本実施例の食器洗浄機１では、モータ等の電動部品を用いることなく、押しボタン３２の操作によって洗浄槽３を洗浄機本体４から自動的に押し出すことができる。洗浄槽３の扉２に取っ手を設けることなく、洗浄槽３を引き出すことができる。
【００３８】
本実施例の食器洗浄機１では、扉２に取っ手を設ける必要がないので、扉２の表面を凹凸のない平面状に形成することができる。図１に示すようにシステムキッチンＫに組み込んだ際に、周囲のシステムキッチン構成物とともに統一感のある美観を実現することができる。
【００３９】
本実施例の食器洗浄機１では、洗浄槽３を洗浄機本体４に押し込む際には、洗浄槽３がスライド部材１８と当接するまではコイルばね２３の付勢力が洗浄槽３に作用せず、洗浄槽３を押し込んでスライド部材１８と当接してから初めてコイルばね２３の付勢力が洗浄槽３に作用する。洗浄槽３を押し込んでスライド部材１８と当接する時点では洗浄槽３に慣性が作用しているから、使用者は少ない力でコイルばね２３の付勢力に抗して洗浄槽３を押し込むことができ、使用者の利便性をより向上することができる。
【００４０】
本実施例の食器洗浄機１では、コイルばね２３の内側にガイドピン２０とガイド筒１９が配置されている。これにより、コイルばね２３の圧縮による座屈が抑制されている。細長いコイルばね２３を用いても座屈するおそれがない。
【００４１】
なお上記の実施例では、スライド機構１６が洗浄機本体４に設けられている場合について説明したが、スライド機構１６は洗浄槽３に設けられていてもよい。この場合、ケース１７は洗浄槽３の外側面に後ろ向きに固定され、コイルばね２３によってスライド部材１８はケース１７に対して後方に向けて付勢される。ストッパ２１ａ、２１ｂがストッパ２２ａ、２２ｂとそれぞれ当接することにより、スライド部材１８がケース１７に対して後方に移動可能な範囲が制限される。嵌合溝２６はスライド部材１８の後面に配置され、洗浄槽３を洗浄機本体４に押し込んだ場合に、洗浄機本体４の内側面に形成されたリブ２７が嵌合溝２６に嵌合する。リブ２７が嵌合溝２６に嵌合した状態から、コイルばね２３の付勢力に抗してさらに洗浄槽３を押し込むことで、洗浄槽３は洗浄機本体４に完全に収容される。
【実施例２】
【００４２】
図４および図５を参照しながら、実施例２に係る食器洗浄機５１について説明する。以下では実施例１の食器洗浄機１と同様の構成については、同一の参照符号を付して詳細な説明を省略する。本実施例の食器洗浄機５１は、スライド機構１６のケース１７内に、ロータリーダンパ２４を備えている。また、スライド部材１８には、噛合部２５が形成されている。
【００４３】
ロータリーダンパ２４はケース１７に固定されており、スライド部材１８に形成された噛合部２５といわゆるラックアンドピニオン機構を構成している。ロータリーダンパ２４は、ケース１７に対するスライド部材１８の前後方向の運動を減衰する。これにより、使用者が洗浄槽３を洗浄機本体４に強く押し込んだ場合でも、洗浄槽３内の食器類へ働く衝撃を緩和することができる。また、コイルばね２３の付勢力によってスライド部材１８を介して洗浄槽３が前方に押し出される場合でも、洗浄槽３が必要以上に速い速度で押し出されることが抑制される。
【００４４】
なお上記の実施例では、ロータリーダンパ２４を用いる場合について説明したが、ロータリーダンパ２４の代わりに、例えば油圧式緩衝器であるソフトアブソーバ等を用いることもできる。スライド部材１８のケース１７に対する前方への移動に抵抗するソフトアブソーバを用いることで、コイルばね２３からの付勢力によって洗浄槽３が押し出される際に、洗浄槽３が必要以上に速い速度で押し出されることを抑制することができる。ソフトアブソーバを用いる場合、スライド部材１８のケース１７に対する移動方向とソフトアブソーバの干渉方向を同軸として、スライド機構１６と一体化した構成とすることで、さらにコンパクトな構成を実現することができる。
【００４５】
なお上記の実施例では、スライド機構１６が洗浄機本体４に設けられている場合について説明したが、スライド機構１６は洗浄槽３に設けられていてもよい。この場合、ケース１７は洗浄槽３の外側面に後ろ向きに固定され、コイルばね２３によってスライド部材１８はケース１７に対して後方に向けて付勢される。ストッパ２１ａ、２１ｂがストッパ２２ａ、２２ｂとそれぞれ当接することにより、スライド部材１８がケース１７に対して後方に移動可能な範囲が制限される。嵌合溝２６はスライド部材１８の後面に配置され、洗浄槽３を洗浄機本体４に押し込んだ場合に、洗浄機本体４の内側面に形成されたリブ２７が嵌合溝２６に嵌合する。リブ２７が嵌合溝２６に嵌合した状態から、コイルばね２３の付勢力に抗してさらに洗浄槽３を押し込むことで、洗浄槽３は洗浄機本体４に完全に収容される。このような構成において、スライド部材１８のケース１７に対する後方への移動に抵抗するように、ロータリーダンパ２４と噛合部２５からなるラックアンドピニオン機構や、油圧式緩衝器であるソフトアブソーバ等を用いることで、コイルばね２３からの付勢力によって洗浄槽３が押し出される際に、洗浄槽３が必要以上に速い速度で押し出されることを抑制することができる。
【００４６】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４７】
１     食器洗浄機
２     扉
３     洗浄槽
４     洗浄機本体
５     操作パネル
６     面材
７     洗浄槽側レール
８     本体側レール
９     内蓋
１０   前方リンク
１０ａ 支点
１０ｂ 支点
１０ｃ カムローラ
１１   後方リンク
１１ａ 支点
１１ｂ 支点
１１ｃ カムローラ
１２   引張ばね
１３   リブ
１３ａ カム面
１４   リブ
１４ａ カム面
１５   ゴムシール
１６   スライド機構
１７   ケース
１８   スライド部材
１９   ガイド筒
２０   ガイドピン
２１ａ、２１ｂ       ストッパ
２２ａ、２２ｂ       ストッパ
２３   コイルばね
２４   ロータリーダンパ
２５   噛合部
２６   嵌合溝
２７   リブ
２８   切り欠き
３０   ロック機構
３１   ケース
３２   押しボタン
３２ａ カム面
３３   フック
３３ａ カムローラ
３４   圧縮ばね
３５   係合爪
５１   食器洗浄機
１０１ 食器洗浄機
１０３ 洗浄槽
【図１】
0005656518.tif 000002
【図２】
0005656518.tif 000003
【図３】
0005656518.tif 000004
【図４】
0005656518.tif 000005
【図５】
0005656518.tif 000006
【図６】
0005656518.tif 000007